(57)【要約】  本発明は、水を蓄える貯槽（４）と、ハンドル（１）とを含む、植物及び花に水まきをするための如雨露に関し、貯槽（４）は、入口孔（３）と、注ぎ出口（５）とを有する。如雨露は、更に、時間評価装置（２４）と、運動センサ（２５）と、通信手段（２８）とを含む。本発明は、更に、如雨露がある時間期間に亘って使用されていないことを如雨露の使用者に警報する方法に関する。その方法は、時間評価装置（２４）を始動させるステップと、運動センサ（２５）が運動を検出したか否かを確認するステップと、運動検出の場合には、時間評価装置（２４）をリセットし、時間評価装置（２４）が第１の所定の時間評価に達したときには、通信手段（２３，２８）を起動させて通信させるステップとを含む。
2013540450.tif 000002
【特許請求の範囲】
【請求項１】
植物及び花に水まきするための如雨露であっって、
水を蓄えるための貯槽と、ハンドルとを含み、
前記貯槽は、入口孔と、注ぎ出口とを有し、
当該如雨露は、
時間評価装置と、
運動センサと、
通信手段とを更に含み得ることを特徴とする、
如雨露。
【請求項２】
前記時間評価装置と、前記運動センサと、前記通信手段とに接続される電気回路を更に含む、請求項１に記載の如雨露。
【請求項３】
エネルギ源を更に含む、請求項１又は２に記載の如雨露。
【請求項４】
前記通信手段は、ラウドスピーカである、請求項１乃至３のうちのいずれか１項に記載の如雨露。
【請求項５】
前記時間評価装置は、時計である、請求項１乃至４のうちのいずれか１項に記載の如雨露。
【請求項６】
前記時間評価装置は、タイマである、請求項１乃至５のうちのいずれか１項に記載の如雨露。
【請求項７】
電気回路が、ＣＵＰと、メモリとを含み、前記ＣＰＵは、前記メモリに記憶されるアルゴリズムを実行するよう構成される、請求項１乃至６のうちのいずれか１項に記載の如雨露。
【請求項８】
前記メモリは、前記ラウドスピーカを介して通信されるよう構成される音響情報を含む、請求項４乃至７のうちのいずれか１項に記載の如雨露。
【請求項９】
前記通信手段は、無線送信機又は無線受信機である、請求項１乃至８のうちのいずれか１項に記載の如雨露。
【請求項１０】
前記通信手段は、少なくとも１つの携帯電話ネットワーク規格を介して通信するよう構成される電話モジュールである、請求項１乃至９のうちのいずれか１項に記載の如雨露。
【請求項１１】
如雨露が特定の時間期間に亘って使用されていないことを前記如雨露の使用者に警報する方法であって、
前記如雨露は、水を蓄えるための貯槽と、ハンドルとを含み、前記貯槽は、入口孔と、注ぎ出口とを有し、前記如雨露は、更に、時間評価装置と、運動センサと、通信手段とを含み、
当該方法は、
前記時間評価装置を始動させるステップと、
前記運動センサが運動を検出したか否かを確認し、運動を検出した場合には、前記時間評価装置をリセットするステップと、
前記時間評価装置が第１の所定の時間評価に達したときには、前記通信手段を起動させて通信させるステップとを含む、
方法。
【請求項１２】
前記時間評価装置が第１の所定の時間評価に達した後に前記時間評価装置をリセットするステップと、
前記運動センサが運動を検出したか否かを確認し、運動を検出した場合には、前記時間評価装置をリセットするステップと、
前記時間評価装置が第２の所定の時間評価に達したときには、前記通信手段を起動させて通信させるステップとを更に含む、
請求項１１に記載の方法。
【発明の詳細な説明】
【技術分野】
【０００１】
本発明は、一般的には、インテリジェント如雨露（知能じょうろ）に関する。より具体的には、本発明は、請求項１の導入部分に定められるインテリジェント如雨露に関する。
【背景技術】
【０００２】
従来的に、植物の水まきは、家庭の植物が生き続けるべきであるならば覚えておかなければならない、家庭における雑用である。多くの植物所有者は、気候及び植物の種類に依存して、１週間に１回又は２回、彼らの植物に水をやる。２〜３リットルの水を蓄え得る従来的な如雨露が使用されるのが普通である。
【０００３】
しかしながら、植物に水をやるのを忘れるのは珍しくなく、その結果、一部の植物は傷み或いは枯れさえする。植物に水をやるのを覚えておく１つの方法は、カレンダ又は携帯電話にアラーム（警報）を設定することである。しかしながら、これは不便である。何故ならば、アラームの時間以外の任意の他の時間に植物に水をやるならば、リマインダ（思い出すのを助ける手段）を変更しなければならないからである。例えば、使用者が旅行前の臨時の時間に植物に水をやるならば、アラームの時間を調節しなければならず、それは容易に忘れられ、不便である。しかしながら、殆どの人々は、彼らの植物に水をやるためにアラームを設定せず、植物に水をやるのを忘れる危険性を増大させる。
【０００４】
植物所有者が植物に水をやるのを間違って忘れ、一部又は全部の植物を枯れさるとき、使用者は新しい植物を買わなければならない。新しい植物を買うことは極めて高価であり、資源の無駄である。植物店へ行くことは、不要な環境負荷ももたらすことが多い。何故ならば、植物所有者は、店に行くのに自動車又はバスを使用することが多いからである。当然の帰結として、新しい植物を買う手順は、さもなければ他のことに用い得たであろう植物所有者の多くの時間も取り上げる。
【発明の概要】
【発明が解決しようとする課題】
【０００５】
本発明の目的は、現状の技術を改良し、上記の問題を解決し、且つ、植物に水をやるための装置の改良をもたらすことである。これらの及び他の目的は、水を蓄える貯槽と、ハンドルとを含み、貯槽は、入口孔と、注ぎ出口とを有する、植物及び花に水まきするための如雨露によって達成される。如雨露は、更に、時間評価装置と、運動センサと、通信手段とを含む。
【課題を解決するための手段】
【０００６】
発明的で知能的な如雨露は、植物所有者の生活をより容易にすることができ、植物所有者が植物に水をやるのを忘れないよう助ける。如雨露は、如雨露が特定の時間に亘って使用されていないことを使用者に連絡するために、通信手段を使用し得る。時間評価装置は、運動センサが如雨露の移動を最後に示したときから特定の時間が経過したときに使用者にこれを連絡するよう、通信装置を起動させる。そのようにして、使用者は彼／彼女の植物に水をやるのを忘れない。これは全ての植物の一定の一部分が乾燥によって枯れるのを助け得る。植物所有者は、枯れた植物を交換する必要がないことによって、時間と金を節約する。彼らの植物に水をやるのを忘れることが多い他のあり得る標的のグループはオフィスであり、そこでは、本発明に従った水まきは、多くの植物を助ける。
【０００７】
如雨露は小さく、小さな植物に水をやる室内使用のために０．２〜２リットルの貯槽容積を有し得るが、野外使用のためには２〜２０リットル以上の貯槽容積を有してもよい。
【０００８】
本発明の異なる実施態様では、職業的な使用のために、例えば、農場又は動物園で、本発明に従った如雨露を使用することが更に可能である。農場では、貯槽はより一層大きく、例えば、トラクタによって引っ張り得るよう、取り付けられた車輪又は接続装置を有し得る。特定の野原に水まきするのが必要であるときに農業者は通知される。
【０００９】
運動センサは、如雨露が移動し得るか否かを示し得る如何なるセンサであってもよい。運動センサは、例えば、ピエゾ電気運動センサのような、如何なる一般的な種類のものであってもよいが、光源と検出器とを備える光センサであってもよい。
【００１０】
如雨露が、時間評価装置と、運動センサと、通信手段とに接続される電気回路を含み得るのが更に好ましい。電気回路は、電気的であるが機械的ではない時間評価装置を、電気運動センサ及び電気通信手段と接続する。
【００１１】
しかしながら、これらの構成部品の全ては非電気的であり得る。運動センサ及び時間評価装置は、パイプであってもよく、そこでは、如雨露が使用されるときには、本体が一端に容易に移動し、如雨露が使用されないときには、本体が後退して、ベルであり得る通信手段の上に最終的に落ちるのに、長い時間がかかる。本体の遅い戻りの理由は、例えば、如雨露が使用されるときに、それが水と接触するようになり、膨張することであり得る。
【００１２】
如雨露は、更に好ましくは、エネルギ源を含み得る。エネルギ源は、如何なる種類の電池又は燃料電池であってもよい。電池は、取り付けられる電気構成部品に適した電圧を送るのが好ましい。
【００１３】
時間評価装置は、時計であるのが更に好ましい。時間が経過するときに通信手段を起動させるタイマとして時計を実施し得る。通信手段は、ラウドスピーカであるのが更に好ましい。時間評価装置がラウドスピーカを起動させるとき、ラウドスピーカは電流を受け取り、電流の振幅変動に従ってラウドスピーカに音響を演奏させる。
【００１４】
しかしながら、通信手段は、如雨露を使用する時であることを時間評価装置が示すときに光を発する、ＬＥＤのような光源であってもよい。
【００１５】
本発明の好適実施態様によれば、電気回路は、ＣＰＵと、メモリとを含み、ＣＰＵは、メモリに記憶されるアルゴリズムを実行するよう構成される。アルゴリズムは、電気回路に接続される構成部品を制御するコンピュータプログラムであるのが好ましい。コンピュータプログラムは、タイマプログラム、接続される機器のためのスケジューリング及び制御プログラムのような、ロジックを含み得る。メモリは、ラウドスピーカを介して通信されるよう構成される音響情報を含み得る。音響情報を、ラウドスピーカを使用してＣＰＵによって演奏可能な任意の一般的な音響フォーマット、例えば、ｗａｖｅ、ｍｐ３等において記憶させ得る。
【００１６】
更なる実施態様によれば、如雨露の通信手段は、無線送信機又は無線受信機であり得る。それは、例えば、ＧＳＭ、ＣＤＭＡ、又はＬＴＥ規格のような、少なくとも１つの携帯電話ネットワーク規格を介して通信するよう構成される電話モジュールであり得る。電話モジュールは、例えば、如雨露の所有者に電話をかけ、記録済みメッセージを演奏して、最後の水まき以来の時間期間を所有者に思い起こさせる。電話モジュールは、彼／彼女の植物に水をやることを所有者に思い起こさせる文字（テキスト）と共に、ＳＭＳ又はＭＭＳも使用者に送信し得る。
【００１７】
無線受信機は、家庭内の他の機器と通信し得るブルートゥースモジュールであってもよい。その装置は、例えば、特定の電話が家にあり且つ範囲内であるときに、所有者にリマンダメッセージを示すために、所有者にブルートゥースを装備する携帯電話を報じ得る。それは、例えば、家庭制御コンピュータ又は家庭マルチメディアコンピュータのような、インテリジェントハウス内の機器とも通信し得る。その場合、所有者に思い起こさせるための可能性は、コンピュータ次第であるが、音響を演奏することから、ランプを制御すること、光効果、ＴＶ上にメッセージを示すこと、ｅメールを送信すること等まで、何でも含み得る。
【００１８】
本発明に従った如雨露は、例えば、ＵＳＢ又はファイヤワイヤポートのような、入力／出力ポート（Ｉ／Ｏポート）を有することが更に好ましい。例えば、如雨露が、ラウドスピーカを介して、彼／彼女の植物に水をやることを使用者に思い起こさせるよう使用し得る音響又は曲を追加し或いは変更するために、Ｉ／Ｏポートを使用し得る。如雨露が充電可能な電池を有するモデルであるならば、如雨露の電池を充電するためにもポートを使用し得る。
【００１９】
次に、本発明に従った如雨露の操作を手短に記載する。時間評価装置又はタイマが始動され、運動センサが運動を検出するか或いは時間評価装置の評価に従って第１の所定の時間が経過するまで時間が測定される。運動センサが運動を検出し、よって、如雨露が使用されたと看做されるならば、時間評価装置又はタイマは、リセットされる。他方、第１の所定の時間が経過したならば、如雨露は、如雨露が長い時間に亘って使用され得なかったことを使用者に連絡するために、通信手段を活性化させ得る。通信手段は、前述の種類のいずれか、例えば、ラウドスピーカによって演奏される曲であり得る。
【００２０】
使用者が如雨露に気付いて如雨露を使用するまで、上述のループが第２の所定の時間のために反復されるのが更に好ましい。即ち、タイマはリセットされ、運動センサがある時間、即ち、第２の所定の時間期間に亘って、如何なる運動をも検出しないならば、如雨露は、通信手段を再び活性化させ、例えば、曲を演奏する。
【００２１】
第１及び第２の所定の時間期間は、それぞれ、例えば、７２時間及び５分である。それらを製造中に確定し得るし、使用者が調節することを可能にし得る。
【００２２】
本発明の上記目的、並びに、追加的な目的、特徴、及び利点は、添付の図面と共に考慮されるとき、本発明の好適実施態様の以下の例示的で非限定的な詳細な記載を参照して、より十分に理解されるであろう。
【図面の簡単な説明】
【００２３】
【図１】本発明に従った如雨露を示す断面図である。
【図２】本発明に従った如雨露の好適実施態様に含まれる電子機器を示す概略図である。
【図３】本発明に従った方法を示すフローチャートである。
【発明を実施するための形態】
【００２４】
如雨露（じょうろ）は、図１に示すように、５つの重要な部分で構成される。ハンドル１が、水のための容器４に接続される。如雨露は、１つの入口孔３と、水の出口のための１つの注ぎ口５とを有する。ハンドル１はケーシングを含み、ケーシングは水を差し出し、如雨露の電子機器（エレクトロニクス）２を含む。
【００２５】
図２は、如雨露の電子機器の好適実施態様を示している。電子機器板は、時間評価装置であるタイマ時計２４と、運動センサ２５と、ＣＰＵ２１と、電池２２と、スピーカ２３とを含み、スピーカ２３は、通信装置である。その好適実施態様は、本発明に従った製品の全てのモデルに必ずしも含まれない幾つかの任意的な構成部品、即ち、入力／出力（Ｉ／Ｏ）ポート２７及び無線通信構成部品２８も有する。
【００２６】
図３は、本発明に従った実施態様の機能のフローチャートを示している。装置を整調するときに第１に起こることは、タイマがリセット（再設定）され、時間を測定し始めることであり、所定の、例えば、７２ｈの作動時間を有する。その時間の間、運動センサが活性化されるよう如雨露が移動されるならば、タイマを任意の地点でリセットし得る。運動センサが所定の時間、例えば、７２ｈ内に運動を検出しない限り、タイマは作動し、ＣＰＵは、彼又は彼女の植物に水をやるのを如雨露の所有者に思い起こさせるために、曲が演奏されることを実行する。曲が演奏されるとき、タイマは再びリセットされるが、第２の所定の時間、例えば、５分にリセットされる。如雨露の所有者が運動センサを設定し得なかったならば、第２の所定の時間内に如雨露を移動させることによって、曲は再び演奏され、タイマは再び第２の所定の時間にリセットされる。他方、運動センサが設定され、如雨露が使用されたことを示すならば、タイマを、例えば、７２ｈの第１の所定の時間にリセットすることによって、如雨露の機能を再始動する。
【００２７】
如雨露が任意的なＩ／Ｏポート２７を有し得るならば、ポートを通じて如雨露を再充電し得る。それは例えばミニＵＳＢ接続のような標準接続であるのが好ましい。例えば、如雨露をコンピュータに接続することによって、Ｉ／Ｏポート２７を通じて、メモリ内に記憶される曲にアクセスし且つメモリ内に記憶される曲を交換し得る。
【００２８】
如雨露が任意的な無線構成部品２８を有し得るならば、曲が演奏される図３中のステップは、無線構成部品から無線信号を送信することによって補完される。無線構成部品２８は、リマンダを任意の形態において使用者に送信するよう、他の装置、例えば、コンピュータと通信するブルートゥース装置であり得る。無線構成部品２８は、使用者に電話し且つメモリに記憶される記録メッセージを演奏するか或いは文字又は画像メッセージを使用者の携帯電話に送信し得る、携帯電話構成部品であってもよい。使用者への音声、文字、及び／又は画像メッセージ、並びに電話されるべき電話番号（又は複数の電話番号）は、メモリ２８に記憶され、それらは、もし存在するならば、Ｉ／Ｏポートを介して、電話ネットワークによる文字メッセージを介して、或いはブルートゥース使用可能装置からのブルートゥースを介して如雨露にアクセスすることによって、修正される。
【００２９】
本発明の他の変形が想定され、一部の場合には、他の特徴の対応する使用を伴わずに本発明の一部の特徴を利用し得ることが理解されよう。よって、如雨露の貯槽は、如何なる実用的に有用な形状及び如何なる大きさをも有し得ること、並びに、全ての種類の水まき作業(assignment)のために装置を使用し得ることが理解されよう。それらの作業は、家の植物に水をやることから、農場で植物に水をやること、科学的な研究室内で植物又は細菌に水をやる／給水すること等まで異なり得る。従って、付属の請求項は本発明の範囲と一致する方法において広く解釈されるべきことが理解されよう。
【図１】
2013540450.tif 000003
【図２】
2013540450.tif 000004
【図３】
2013540450.tif 000005
【国際調査報告】
2013540450.tif 000006
2013540450.tif 000007
2013540450.tif 000008